(57)【要約】      （修正有）【課題】２.５インチハードディスクを内蔵し、２.５インチハードディスクから３.５インチハードディスクサイズに転換する３.５インチディスクアレイモジュールを提供する。【解決手段】２.５インチハードディスクを内蔵する３.５インチディスクアレイモジュールであって、２台の２.５インチＳＡＴＡハードディスクドライブをすでにコンピュータ標準装備となっている３.５インチＳＡＴＡディスクアレイモジュール内に設置し、２台のハードディスクドライブを具えたディスクアレイとして又は２台の独立してデータを記録するＳＡＴＡハードディスクドライブとすることができるようにし、これにより２台の２.５インチハードディスクドライブを具えた３.５インチディスクアレイモジュールを一般のコンピュータハウジングの３.５インチディスクドライブベイ内に固定し、又は３.５インチディスクドライブを装着できるいずれの装置内にも装着できる。【選択図】図１
0003131595.tif 000002
【実用新案登録請求の範囲】
【請求項１】
２.５インチハードディスクを内蔵する３.５インチディスクアレイモジュールであって、２台の２.５インチハードディスクドライブを３.５インチＳＡＴＡディスクアレイモジュール内に固定手段によって設置し、２台のハードディスクを具えたディスクアレイとして、又は２台の独立したデータ記録ＳＡＴＡハードディスクドライブとすることができるようにし、該２台の２.５インチハードディスクドライブを具えた３.５インチＳＡＴＡディスクアレイモジュールを一般のコンピュータハウジングの３.５インチディスクドライブベイ又はソフトディスクドライブベイ内に固定手段によって固定でき、又はフレームを加えて５.２５インチディスクドライブベイ中に固定手段によって装着でき、又はフレームベースを加えて外付ディスクドライブとすることができることを特徴とする２.５インチハードディスクを内蔵する３.５インチディスクアレイモジュール。
【請求項２】
３.５インチＳＡＴＡディスクアレイモジュールの両側にロックキーとスライドシャフトボタンを設け、該ハードディスクフレームをロックできるようにし、更にスライドシャフトボタンで該ハードディスクフレームがホップアップできるようにして成ることを特徴とする請求項１記載の２.５インチハードディスクを内蔵する３.５インチディスクアレイモジュール。
【考案の詳細な説明】
【技術分野】
【０００１】
本考案はパーソナルコンピュータ又はその他の装置に使用する２.５インチハードディスクを内蔵する３.５インチディスクアレイモジュールに関し、特に２枚の２.５インチハードディスクドライブをすでにコンピュータ標準装備となっている３.５インチＳＡＴＡディスクアレイモジュール内に設置することができ、又、その２枚の２.５インチハードディスクドライブを具えた３.５インチ転換ディスクドライブを一般のコンピュータハウジングの３.５インチディスクベイ内に固定でき、又は３.５インチディスクドライブを設置でき、どんな装置内にも取り付けることができる２.５インチハードディスクを内蔵する３.５インチディスクアレイモジュールに関する。
【背景技術】
【０００２】
公知のコンピュータのデータ記録媒体には、ハードディスク、ソフトディスク、ＣＤ、ＤＶＤ及び各種メモリカードが含まれるが、なかでもハードディスクは安定性が高く記録量が大きいため、早くからパーソナルコンピュータ、サーバやデジタル記録装置を備えた装置に欠かせない記録デバイスとなっている。
図４、図５に示すように、大部分のパーソナルコンピュータのマザーボード又はサーバマザーボードのコンピュータ金属ハウジング９には、数個の５.２５インチ及び３.５インチ規格のディスクドライブベイ９１、９２を具え、５.２５インチディスクドライブベイ９１は５.２５インチＣＤドライブ、５.２５インチＤＶＤ−ＲＡＭドライブ、ハウジングが５.２５インチで３.５インチハードディスク内装のスライドロックトレイなどを選択使用できるようにしている。
また、３.５インチディスクドライブベイ９２は３.５インチハードディスクドライブ、３.５インチ規格に適合した１.４４インチソフトディスクドライブ又はカードリーダなどを選択して設置できるようにしている。
【０００３】
通常コンピュータマザーボード内に装着したディスクドライブは、主に５.２５インチ及び３.５インチディスクドライブを具え、５.２５インチディスクドライブ内部には５.２５ハードディスクドライブ（近年は生産中止に近づき使用が少なくなっているが）又は３.５インチハードディスクドライブ（マウントキットを使用）を設けている。３.５インチディスクドライブの内部には３.５インチハードディスクドライブ一枚又は２.５インチハードディスクドライブ一枚を設けている。
【０００４】
公知の５.２５インチ及び３.５インチディスクドライブの中にはそれぞれ５.２５インチ、３.５インチ又は２.５インチディスクドライブ一枚を設置するだけで、それぞれの５.２５インチ及び３.５インチディスクドライブとしてはアレイ式のバックアップはできず、同時に２台のハードディスクドライブを具えることによるサポート利用もできず、従来の３.５インチディスクドライブの使用範囲は大きく制限されている。
【特許文献１】特開２００６−２９４２０１号公報
【考案の開示】
【考案が解決しようとする課題】
【０００５】
本考案は、通常のコンピュータハウジング及びディスクドライブベイの構造を一切変更せずに、２.５インチハードディスクドライブ２台を３.５インチディスクアレイモジュールに設置し、２台の２.５インチハードディスクドライブを具えた３.５インチディスクドライブアレイモジュールを一般コンピュータケースの３.５インチディスクドライブベイ又はソフトディスクドライブベイ内に装着固定できるようにし、また３.５インチＳＡＴＡハードディスクを装着できるいずれの外付デバイスにも又はその他の装置の中にも使用できるようにし、データの安全バックアップ及び実用性を具えるようにすることを課題とする。
【課題を解決するための手段】
【０００６】
上記課題を解決するために、請求項１の考案は、２.５インチハードディスクを内蔵する３.５インチディスクアレイモジュールであって、２台の２.５インチハードディスクドライブを３.５インチＳＡＴＡディスクアレイモジュール内に固定手段によって設置し、２台のハードディスクを具えたディスクアレイとして、又は２台の独立したデータ記録ＳＡＴＡハードディスクドライブとすることができるようにし、該２台の２.５インチハードディスクドライブを具えた３.５インチＳＡＴＡディスクアレイモジュールを一般のコンピュータハウジングの３.５インチディスクドライブベイ又はソフトディスクドライブベイ内に固定手段によって固定でき、又はフレームを加えて５.２５インチディスクドライブベイ中に固定手段によって装着でき、又はフレームベースを加えて外付ディスクドライブとすることができることを特徴とする２.５インチハードディスクを内蔵する３.５インチディスクアレイモジュールである。
請求項２の考案は、３.５インチＳＡＴＡディスクアレイモジュールの両側にロックキーとスライドシャフトボタンを設け、該ハードディスクフレームをロックできるようにし、更にスライドシャフトボタンで該ハードディスクフレームがホップアップできるようにして成ることを特徴とする請求項１記載の２.５インチハードディスクを内蔵する３.５インチディスクアレイモジュールである。
【０００７】
本考案の２.５インチから３.５インチに変換するディスクアレイモジュールは、２台の２.５インチハードディスクドライブ７、７’をすでにコンピュータ標準装備となっている３.５インチＳＡＴＡディスクアレイモジュール１に設置し、広くフレキシブルな記録に利用でき、本考案の２.５インチから３.５インチに転換するディスクアレイモジュールにおいて、３.５インチＳＡＴＡディスクアレイモジュール１は２台の２.５インチハードディスクドライブ７、７’を具えたディスクアレイとして、又は独立してデータを記録する２台のＳＡＴＡハードディスクドライブとして使用することができる。
また、２台のハードディスクドライブ７、７’を具えた３.５インチＳＡＴＡディスクアレイモジュール１を一般のコンピュータケースの３.５インチディスクドライブベイ内に固定し、又は３.５インチディスクを装着できるいずれの外付けデバイスにも又はその他装置内に設置できる。
【考案の効果】
【０００８】
本考案の２.５インチハードディスクを内蔵する３.５インチディスクアレイモジュールによれば、２.５インチから３.５インチに転換するディスクアレイモジュールであって、２台の２.５インチＳＡＴＡハードディスクドライブをすでにコンピュータ標準装備となっている３.５インチＳＡＴＡディスクアレイモジュール内に設置し、２台のハードディスクドライブを具えたディスクアレイとして又は２台の独立してデータを記録するＳＡＴＡハードディスクドライブとすることができ、これにより２台の２.５インチハードディスクドライブを具えた３.５インチディスクアレイモジュールを一般のコンピュータハウジングの３.５インチディスクドライブベイ内に固定でき、又は３.５インチディスクドライブを装着できるいずれの装置内にも装着できるという効果が得られる。
【考案を実施するための最良の形態】
【０００９】
本考案の好適な２.５インチハードディスクを内蔵する３.５インチディスクアレイモジュールを図面を参照して説明する。
図１、図２及び図３に示すように、本考案の実施例の２.５インチハードディスクを内蔵する３.５インチディスクアレイモジュールは、主体である３.５インチＳＡＴＡディスクアレイモジュール１構造は主に、底ハウジング１１、上カバー１２、ハードディスクガイドベース３、パネル４、スライドシャフト機構５、ハードディスクフレーム２個６、２.５インチハードディスクドライブ２台７及び制御マザーボード８などの部品で構成する。
【００１０】
ハードディスクガイドベース３内縁にガイドレール３１を設け２個のハードディスクフレーム６、６’がスライドして位置決めされるようにし、ハードディスクフレーム６、６’上に２.５インチハードディスクドライブ７、７’を固定手段によって固定でき、ハードディスクフレーム６の末端に制御マザーボード８を固定し、制御マザーボード８にハードディスク回路基板８１を連結し、末端箇所にアレイミラーリング記録設定キー８２及びＳＡＴＡインタフェイス端子８３を設ける。
【００１１】
上述のハードディスク回路基板８１上にハードディスク接続端子８１１、８１２を設け、２.５インチハードディスクドライブ７、７’末端の端子と接続することができる。
ハードディスクガイドベース３の前縁にパネル４を固定し、パネル４の一側にロックキー４１、インジケータ４２を設け、別の一側にスライドシャフトボタン４３を設け、スライドシャフトボタン１１と底ハウジング１１に固定してハードディスクガイドベース３の一側の対応する位置にあるスライドシャフト機構５とを連結する。
そして、上カバー１２で覆うと２.５インチハードディスクをこれら固定手段によって固定され、２.５インチから３.５インチに転換した３.５インチＳＡＴＡディスクアレイモジュール１が完成する。
【００１２】
図２、図４及び図５に示すように、上カバー１２の側部に標準のディスク固定ネジ孔１２１を設けておき、外部に露出したＳＡＴＡインタフェイス端子８３を組み合わせることで、本考案の実施例の３.５インチＳＡＴＡディスクアレイモジュール１を、３.５インチＳＡＴＡディスクアレイを装着できるいずれのコンピュータシステム又はその他デジタルマルチメディア上にも固定手段によって固定でき、外部に露出したディスクミラーリング記録設定キー８２を利用してディスクアレイバックアップ記録メディアとして、又は同時に２台のハードディスクドライブを具えた記録メディアとしての利用を選択することができる。
【００１３】
本考案の実施例の２.５インチから３.５インチに転換するディスクアレイモジュールの３.５インチＳＡＴＡディスクアレイモジュール１の構造において、ハードディスクガイドベース３とパネル４の両側にロックキー４１及びスライドシャフトボタン４３は、ハードディスクフレーム６、６’をロックできるようにし、またスライドシャフトボタン４３によってディスクフレーム６、６’をホップアップさせることができる。
【００１４】
本考案の実施例の２.５インチから３.５インチに転換するディスクアレイモジュールの３.５インチＳＡＴＡディスクアレイモジュール１の構造は、図６に示すように、フレーム８４を加えて５.２５インチディスクドライブベイ９１に固定手段によって装着するようにでき、２台の２.５インチハードディスクドライブを具えた３.５インチＳＡＴＡハードディスクドライブとして使用する。
図７に示すように、フレームスタンド８５を加えて２台の２.５インチハードディスクドライブを具えた３.５インチＳＡＴＡ外付ディスクドライブとすることができ、３.５インチ転換ディスクドライブの使用性が拡大する。
【００１５】
以上説明したように、図１、図２及び図３に示す実施例においては、２.５インチから３.５インチに変換するディスクアレイモジュールにおいて、２台の２.５インチハードディスクドライブ７、７’をすでにコンピュータ標準装備となっている３.５インチＳＡＴＡディスクアレイモジュール１に設置し、広くフレキシブルな記録に利用できる。
また、３.５インチＳＡＴＡディスクアレイモジュール１は２台の２.５インチハードディスクドライブ７、７’を具えたディスクアレイとして、又は独立してデータを記録する２台のＳＡＴＡハードディスクドライブとして使用することができる。
さらに、２台のハードディスクドライブ７、７’を具えた３.５インチＳＡＴＡディスクアレイモジュール１を一般のコンピュータケースの３.５インチディスクドライブベイ内に固定し、又は３.５インチディスクを装着できるいずれの外付けデバイスにも又はその他装置内に設置できる。
【図面の簡単な説明】
【００１６】
【図１】本考案の実施例の立体図である。
【図２】本考案の実施例の別の角度からの立体図である。
【図３】本考案の実施例の主な構造の分解立体図である。
【図４】本考案の実施例をコンピュータマザーボードの１.４４インチソフトディスクドライブベイに装着する実施例の立体図である。
【図５】本考案をコンピュータマザーボードの３.５インチディスクドライブベイに装着する実施例の立体図である。
【図６】本考案にフレームを加えた実施例の立体図である。
【図７】本考案にフレームスタンドを加えた実施例の立体図である。
【符号の説明】
【００１７】
１    ３.５インチＳＡＴＡディスクアレイモジュール
１１  底ハウジング
１２  上カバー
１２１      固定ネジ孔
３    ハードディスクガイドフレーム
３１  ガイドレール
４    パネル
４１  ロックキー
４２  インジケータ
４３  スライドシャフトボタン
５    スライドシャフト機構
６、６’    ハードディスクフレーム
７、７’    ２.５インチハードディスクドライブ
８    制御マザーボード
８１  ハードディスク回路基板
８１１、８１２    ハードディスク接続端子
８２  アレイミラーリング記録設定キー
８３  ＳＡＴＡインタフェイス端子
８４  フレーム
８５  フレームスタンド
９    コンピュータ金属ハウジング
９１  ５.２５インチディスクドライブベイ
９２  ３.５インチディスクドライブベイ
【図１】
0003131595.tif 000003
【図２】
0003131595.tif 000004
【図３】
0003131595.tif 000005
【図４】
0003131595.tif 000006
【図５】
0003131595.tif 000007
【図６】
0003131595.tif 000008
【図７】
0003131595.tif 000009